(57)【特許請求の範囲】
【請求項１】
直立して延び、一対のレール部及びそのレール部の中央の支柱部を有しその断面がＨ字型のガイドレールと、
舞台床面に形成された開口部に向かってこのガイドレールの一方のレール部に沿って昇降する昇降床と、
この昇降床に連結され人力により引き込まれるロープと、
前記ガイドレール上端に設置されロープが掛け回されるローラと、
を備えた手動式昇降式床装置において、
前記ロープに設けられたフックと、
前記ロープを挿通させる貫通穴が形成され、その貫通穴内には前記フックに係合するピンが設けられ、前記昇降床を上昇方向に付勢すべく前記ロープに係脱自在に連結されるカウンターウエイトと、
前記一方のレール部を挟み込むように転動する一対のガイドローラと、前記支柱部を両側から挟み込むように転動するガイドローラとを有し、前記昇降床に固設されたガイド装置と、
を備えたことを特徴とする手動式昇降床装置。
【請求項２】
前記ガイドレールが固定される基台と、
この基台下方に設けられた車輪と、この車輪と床面との接触が断たれる高さまで前記基台を上昇させる昇降手段と、
を備えたことを特徴とする請求項１に記載の手動式昇降床装置。
【請求項３】
前記ガイドレールを折り畳み可能に構成するとともに、
前記昇降床を折り畳まれたガイドレール下方に格納可能とした、
ことを特徴とする請求項１または請求項２に記載の手動式昇降床装置。
【発明の詳細な説明】
【０００１】
【発明の属する技術分野】
本発明は、劇場の舞台等で使用される昇降床（こぜり）の手動式昇降床装置の改良に関する。
【０００２】
【従来の技術】
劇場等には、舞台の一部を上下動可能な昇降床（こぜり）に形成し、この昇降床上で俳優や大道具をせり上げたり、せり下げたりする昇降床装置が設けられている。
【０００３】
従来、このような昇降床装置としては、油圧アクチュエータ等で駆動される機械式のもののほか、作業者がロープ等で昇降床を上下させるような、主として木製の手動式昇降床装置があった。
【０００４】
【発明が解決しようとする課題】
しかしながら、従来の手動式昇降床装置においては、昇降床を持ち上げるためには、作業者は昇降床自体とこれに乗せた俳優や大道具の重さ分の力でロープを引かねばならず、昇降床の昇降には多くの人員や労力が必要となっていた。
【０００５】
また、従来の昇降床装置は固定式のものであったため、舞台の１つの場所に設置すると、他の場所で使用することはできなかった。
【０００６】
本発明は、このような問題点に着目し、少ない労力で容易に昇降できるとともに、舞台下方のさまざまな場所に移動可能な手動式昇降床装置を提供することを目的とする。
【０００７】
【課題を解決するための手段】
第１の発明は、直立して延び、一対のレール部及びそのレール部の中央の支柱部を有しその断面がＨ字型のガイドレールと、舞台床面に形成された開口部に向かってこのガイドレールの一方のレール部に沿って昇降する昇降床と、この昇降床に連結され人力により引き込まれるロープと、前記ガイドレール上端に設置されロープが掛け回されるローラとを備えた手動式昇降式床装置において、前記ロープに設けられたフックと、前記ロープを挿通させる貫通穴が形成され、その貫通穴内には前記フックに係合するピンが設けられ、前記昇降床を上昇方向に付勢すべく前記ロープに係脱自在に連結されるカウンターウエイトと、前記一方のレール部を挟み込むように転動する一対のガイドローラと、前記支柱部を両側から挟み込むように転動するガイドローラとを有し、前記昇降床に固設されたガイド装置とを備えた。
【０００８】
第２の発明は、前記ガイドレールが固定される基台と、この基台下方に設けられた車輪と、この車輪と床面との接触が断たれる高さまで前記基台を上昇させる昇降手段とを備えた。
【０００９】
第３の発明は、前記ガイドレールを折り畳み可能に構成するとともに、前記昇降床を折り畳まれたガイドレール下方に格納可能とした。
【００１０】
【作用】
第１の発明では、ガイドレールに沿って上下動可能な昇降床を作業員が人力によりいったん上昇させ、係止手段により所定の位置に適当な重量のカウンターウエイトを連結したうえで昇降床を下降させ、この昇降床に俳優や大道具等を乗せて、再び作業員がロープを介して人力により、昇降床を舞台床面に形成された開口部までガイドレールに沿って昇降させる。このとき、昇降床自体および俳優等の全重量に対して適切な重量のカウンターウエイトが、昇降床側と対抗的に設けられているので、人力による作業が小さな力で済み、作業効率が高められ、人員が削減されるとともに、昇降床を人力によっても安定的に昇降させることができるので昇降床上の俳優等の安全も確保される。
【００１１】
第２の発明では、昇降床装置の基台下方に設けられた車輪により、昇降床装置は自由に移動させることができる一方、昇降床装置の使用時には、昇降手段により車輪と昇降床装置下方の床面との接触を断つことにより、昇降床装置は下方の床面状に安定して設置される。
【００１２】
第３の発明では、ガイドレールを折り畳み、その下側に昇降床を格納することにより、昇降床装置はコンパクトとされるので、移動が容易になり、また、かさばらずに収納することができる。
【００１３】
【発明の実施の形態】
以下、添付図面に基づいて、本発明の実施の形態について説明する。
【００１４】
図１は昇降床装置の正面図、図２は側面図を示す。図示されるように、昇降床装置は、舞台床面１下方に形成された地下室床面２上に設置され、舞台床面１に形成された開口部３下方に配置される。
【００１５】
この昇降床装置は長方形の基台４上に構成され、この基台４下面の４隅付近に取り付けられた車輪５によって、他の開口部３下方へと地下室床面２上を自由に移動できるようになっている。
【００１６】
また、基台４の４隅には、基台４の昇降手段であるネジジャッキ６が設けられており、開口部３下方の所定の位置において、基台４はネジジャッキ６によってわずかに上昇させられ、地下室床面２と車輪５の接触を断つことによって、地下室床面２上に固定できるようになっている。
【００１７】
なお、昇降床装置の移動は人力によりなされるので、基台４には移動作業者用にハンドル７が取り付けられている。
【００１８】
基台４上には、断面Ｈ字型（図３参照）の柱である折り畳み式ガイドレール１０が設けられる。このガイドレール１０は、基台４上に直立して固設されるレール下部１０ａ上に、レール中部１０ｂを９０度回動可能に支持し、さらに、このレール中部１０ｂ上にレール上部１０ｃをレール中部１０ｂとは反対回転に回動可能に支持して構成されている。これにより、ガイドレール１０は、レール各部１０ａ、１０ｂ、１０ｃを一直線状とし、固定部材１１で固定することにより、後述の昇降床２０を案内することができるとともに、昇降床装置の移動時等には、ガイドレール１０は、図１に想像線で示したように、レール中部１０ｂとレール上部１０ｃが、それぞれ回動して、水平となるように互いに折り畳まれ、レール下部１０ａ上にまとめられる格納状態となるようになっている。
【００１９】
なお、レール上部１０ｃの上端には接続部１２が形成され、舞台床面１下方に固設された接続部１３と結合することにより、昇降床装置が開口部３下方での定位値へと固定される。
【００２０】
ガイドレール１０の側面には、正方形の昇降床面２０ａとこれを下方から支持する支持部２０ｂからなる昇降床２０が配設される。ガイドレール１０側面に沿うように配置された支持部２０ｂにはガイド装置２１が固設される。昇降床２０は、このガイド装置２１を介して、図１および図２に実線で示した起立状態のガイドレール１０の側面に沿って上下動可能となっている。
【００２１】
なお、昇降床２０は、図１に想像線で示したように、最大で、昇降床面２０ａがレール下部１０ａの上端とほぼ同一レベルとなる下降位置まで下降し、支持部２０ｂが基台４上に支持されるようになっており、この下降位置の昇降床２０には、側方に設けられたはしご段１９（図２参照）から俳優等が乗り込めるようになっている。また、ガイドレール１０の格納状態においては、昇降床面２０ａは、折り畳まれたレール中部２０ｂおよびレール上部２０ｃを下側から支持するように、格納されるようになっている。
【００２２】
図３に示すように、ガイド装置２１は、断面Ｈ字型ガイドレール１０の側辺である一対のレール部１５のうち、昇降床２０側の一方を挟み込むようにして転動する一対のガイドローラ２２と、レール部１５中央の支柱部１６を両側から挟み込むようにして転動するガイドローラ２３とを備えている。なお、図３では便宜上、ガイドローラ２２および２３を、それぞれ支柱部１６を挟んで片側にのみ図示しているが、これらは実際には支柱部１６を挟んで両側に配設され、図１に示すように、上下に設けられたガイドローラ２２の間にガイドローラ２３を配設している。
【００２３】
このようにガイド装置２１は、これらのガイドローラ２２、２３の転動により、ガイドレール１０に沿って摺動可能となっており、ガイドローラ２２によって図３の左右方向への、またガイドローラ２３によって図３の上下方向への動きを規制されるようになっているので、ガイド装置２１に固定された昇降床２０は、ガイドレール１０側面上を安定して案内される。
【００２４】
昇降床２０の支持部２０ｂには、上昇用ロープ３０および下降用ロープ３１の一端が連結される。
【００２５】
このうち下降用ロープ３１は、昇降床２０から下方に延び、図４にも示すように基台４上に固設された滑車３３を介して、作業者の手元に達するようになっている。これにより、作業者が下降用ロープ３１を引き込むと、昇降床２０は滑車３３地点にまで下降するようになっている。
【００２６】
一方、上昇用ロープ３０は、レール上部１０ｃの上端の接続部１２に固設された一対のガイドローラ１４に掛け回されてたうえで下方に延び、図４にも示すように基台４上に固設された滑車３２を介して作業者の手元へと達するようになっている。これにより、作業者が上昇用ロープ３０を引き込むと、昇降床２０はガイドローラ１４地点まで引き上げられる。
【００２７】
なお、この上昇用ロープ３０は、基台４上に固設されたロープ固定装置３４を通るようになっており、所定の引き込み位置で固定できるようになっている。
【００２８】
上昇用ロープ３０には、昇降床２０と対抗するようにカウンターウエイト４０が取り付け可能となっている。このカウンターウエイト４０としては、使用状況に応じて適当な重さのものが用いられる。
【００２９】
図５に示すように、カウンターウエイト４０には、その中央部分を上下に貫通した貫通穴４１が形成され、この貫通穴４１を上昇用ロープ３０が貫通して通るようになっている。そして、このカウンターウエイト４０を上昇用ロープ３０へ取り付ける時には、上昇ロープ３０途中の所定の位置に設けられたフック４２が、カウンターウエイト４０の貫通穴４１内に設けられたピン４３へと係合することにより、上昇ロープ３０の所定位置にカウンターウエイト４０が係止されるようになっている。
【００３０】
つぎに作用を説明する。
【００３１】
昇降床装置を使用するときには、格納状態の昇降床装置を、昇降床２０を使用する舞台床面１に形成した開口部３下方の所定位置へと移動する。このとき、昇降床装置の基台４下方には車輪５が設けられているので、使用すべき開口部３間での移動は容易である。
【００３２】
昇降床装置が所定位置に移動したら、ガイドレール１０を直立状態とし、ネジジャッキ６により基台４をその場所に固定するとともに、固定装置１２、１３によりガイドレール１０上方を舞台床面１下方に固定する。
【００３３】
つづいて、いったん上昇用ロープ３０を引き込み、昇降床２０を開口部３地点まで上昇させる。このとき、その後の使用状況に合わせた適当な重量のカウンターウエイト４０の貫通穴４１に上昇用ロープ３０を通した状態で、カウンターウエイト４０を下方に待機させておけば、上昇用ロープ３０は貫通穴４１内を自由に摺動し、昇降床２０の最上昇位置で上昇用ロープ３０の所定の位置にあるフック４２が、下方に待機しているカウンターウエイト４０付近に来る。ここで、フック４２をカウンターウエイト４０側のピン４３へと係合させ、カウンターウエイト４０を上昇用ロープ３０の途中に連結する。
【００３４】
つぎに、下降用ロープ３１を引き込み、カウンターウエイト４０を引き上げつつ昇降床２０を下降位置まで下降させる。ここで、演出上必要な俳優や大道具を、はしご段１９から昇降床２０上に乗り込ませ、再び上昇用ロープ３０を引き込むことによって、昇降床２０を上昇させる。昇降床２０を開口部３地点まで上昇させたら、ロープ固定装置３４により上昇用ロープ３０を固定し、昇降床２０の位置を上昇用ロープ３０により保つようにする。
【００３５】
このとき、カウンターウエイト４０は昇降床２０を上昇する方向に付勢し、作業者の引き込み作業を助けるので、作業者は比較的小さな力で楽に昇降床２０を上下動させることでき、作業者の人員が削減でき、作業効率が高められる。
【００３６】
また、使用状況に合わせて、カウンターウエイト４０の重さを、例えば昇降床２０とその上に乗る俳優等の総重量よりもわずかに軽い程度のものをすれば、昇降床２０をスムーズに上昇させることができ、昇降床２０上の俳優等の安全も確保される。
【００３７】
なお、昇降床装置の使用が終了した後で昇降床装置を再び格納状態とすれば、昇降床装置はコンパクトにまとまった状態となり、また自由に移動することができるので、所定の収納場所に収納するのに便利である。
【００３８】
【発明の効果】
第１の発明によれば、ガイドレールに沿って上下動可能な昇降床を作業員が人力によりいったん上昇させ、係止手段により所定の位置に適当な重量のカウンターウエイトを連結したうえで昇降床を下降させ、この昇降床に俳優や大道具等を乗せて、再び作業員がロープを介して人力により、昇降床を舞台床面に形成された開口部までガイドレールに沿って昇降させる。このとき、昇降床自体および俳優等の全重量に対して適切な重量のカウンターウエイトが、昇降床側と対抗的に設けられているので、人力による作業が小さな力で済み、作業効率が高められ、人員が削減されるとともに、昇降床を人力によっても安定的に昇降させることができるので昇降床上の俳優等の安全も確保される。
【００３９】
第２の発明によれば、昇降床装置の基台下方に設けられた車輪により、昇降床装置は自由に移動させることができる一方、昇降床装置の使用時には、昇降手段により車輪と昇降床装置下方の床面との接触を断つことにより、昇降床装置は下方の床面状に安定して設置される。
【００４０】
第３の発明によれば、ガイドレールを折り畳み、その下側に昇降床を格納することにより、昇降床装置はコンパクトとされるので、移動が容易になり、また、かさばらずに収納することができる。
【図面の簡単な説明】
【図１】本発明の実施の形態を示す正面図である。
【図２】同じく側面図である。
【図３】同じく図１のＡ−Ａ断面図である。
【図４】同じく図１のＢ−Ｂ断面図である。
【図５】同じく上昇用ロープとカウンターウエイトを示す側面図である。
【符号の説明】
１  舞台床面
２  地下室床面
３  開口部
４  基台
５  車輪
６  ネジジャッキ
１０  ガイドレール
１４  ガイドローラ
２０  昇降床
３０  上昇用ロープ
４０  カウンターウエイト
４２  フック
４３  ピン
【図１】
0003662064.tif 000002
【図２】
0003662064.tif 000003
【図３】
0003662064.tif 000004
【図４】
0003662064.tif 000005
【図５】
0003662064.tif 000006